(57)【要約】【課題】冊子に丁合する各頁について乱丁を検査するだけでなく、その乱丁に関連する不具合についても検出することができる丁合検査システムを提供する。【解決手段】連続用紙をシートカットした単位用紙をシートカット順に搬送しながら糊付けを行い丁合する丁合機に適用する丁合検査システムであって、製品情報を記憶する製品情報記憶手段と、丁合する単位用紙に印刷された製品情報の印刷コードを読取るコードリーダと、読取った製品情報と記憶する製品情報とを比較して良否判定する良否判定手段と、否判定が影響する範囲の単位用紙を否と判定する範囲判定手段と、単位用紙とその判定とを関連付けた製本履歴を生成する製本履歴生成手段と、製本履歴を記憶する製本履歴記憶手段とを具備するようにした丁合検査システム。【選択図】  図１
2006130798.tif 000002
【特許請求の範囲】
【請求項１】
連続用紙をシートカットした単位用紙をシートカット順に搬送しながら糊付けを行い丁合する丁合機に適用する丁合検査システムであって、
すくなくとも冊子連番と総枚数と枚目を含む製品情報を記憶する製品情報記憶手段と、
丁合する単位用紙に印刷されたすくなくとも冊子連番と総枚数と枚目を含む製品情報の印刷コードを読取るコードリーダと、
前記コードリーダが読取った製品情報とそれに対応する前記製品情報記憶手段が記憶する製品情報とを比較して良（一致）であるか否（不一致）であるかを判定する良否判定手段と、
前記良否判定手段により否と判定されたときには前記単位用紙とともにその判定が影響する範囲の単位用紙を否と判定する範囲判定手段と、
前記良否判定手段により良と判定されたときには前記単位用紙とその判定とを関連付け、また前記良否判定手段により否と判定されたときには前記範囲判定手段により否と判定された単位用紙と前記判定とを関連付けた製本履歴を生成する製本履歴生成手段と、
前記製本履歴生成手段が生成した前記製本履歴を記憶する製本履歴記憶手段と、
を具備することを特徴とする丁合検査システム。
【請求項２】
請求項１記載の丁合検査システムにおいて、前記範囲判定手段は、前記否との判定が影響する範囲の単位用紙を、前記否との判定された単位用紙と同一冊子連番の単位用紙とすることを特徴とする丁合検査システム。
【請求項３】
請求項１または２記載の丁合検査システムにおいて、前記範囲判定手段は、前記否との判定が影響する範囲の単位用紙を、前記糊付けを行って所定時間以内に丁合されない単位用紙とすることを特徴とする丁合検査システム。
【請求項４】
請求項１〜３のいずれかに記載の丁合検査システムにおいて、前記製本履歴生成手段が生成した前記製本履歴を表示する製本履歴表示手段と、前記製本履歴を印刷する製本履歴印刷手段とを具備することを特徴とする丁合検査システム。
【発明の詳細な説明】
【技術分野】
【０００１】
本発明は製本の技術分野に属する。特に、一枚々々にカットされた帳票等の用紙を糊付けしてランダム枚数で冊子に丁合するランダム丁合の検査に好適な丁合検査システムに関する。
【背景技術】
【０００２】
丁合を検査する従来技術としては、たとえば、カレンダを製造するときに使用されるカレンダ丁合機における乱丁検査装置が知られている（特許文献１）。この乱丁検査装置は、カレンダの各頁を構成する単位カレンダをそれぞれ積載する複数の積載部からなる丁合棚を有する丁合機に適用されるものである。そしてこの乱丁検査装置は、各単位カレンダの所定位置に、少なくとも品目データ、頁データ及び丁合枚数が記録されているバーコードを印刷しておくと共に、各積載部から搬出された全ての単位カレンダが通過する共通搬送部で、搬送中の各単位カレンダからバーコードを読み取るバーコードリーダと、読み取ったバーコードに記録されているデータに基づいて乱丁を検出する検出手段を含む計算機とを備えている。
【特許文献１】特開２０００−３７９７０
【０００３】
このような従来の乱丁検査機においては、同一の単位カレンダーを２枚以上帳合いしたり、単位カレンダの一部が抜け落ちたり、積載ミス等に起因する上下表裏、頁、品目の誤り、等の単位カレンダそのものの不具合、すなわち乱丁については検出することができる。しかし、その不具合に関連する、積載部、丁合部、等の用紙が搬送される部位における不具合については検出することができないという問題がある。
また、検査情報がコンピュータシステムのディスプレイに表示されるだけであって、その検査情報に基づいて不具合に対処するときには必要十分な情報が提供されているわけではないという問題がある。
また、各積載部から各単位カレンダを搬出方式においては、各冊子ごとに丁合する頁数、頁種、等が異なるバリアブル丁合を実施するときには、バリアブル丁合における最大の頁数、頁種に対応した数の積載部を用意する必要性があり、設置スペースが増加し、設備費用が掛かるという問題がある。
【発明の開示】
【発明が解決しようとする課題】
【０００４】
本発明は上記の問題を解決するために成されたものである。その目的は、冊子に丁合する各頁について乱丁を検査するだけでなく、その乱丁に関連する、積載部、丁合部、等の用紙が搬送される部位における不具合についても検出することができ、検査情報に基づいて不具合に対処するための必要十分な情報を提供し、バリアブル丁合を実施するときにおいても設置スペースが小さく、設備費用が掛からない丁合検査システムを提供することにある。
【課題を解決するための手段】
【０００５】
本発明の請求項１に係る丁合検査システムは、連続用紙をシートカットした単位用紙をシートカット順に搬送しながら糊付けを行い丁合する丁合機に適用する丁合検査システムであって、すくなくとも冊子連番と総枚数と枚目を含む製品情報を記憶する製品情報記憶手段と、丁合する単位用紙に印刷されたすくなくとも冊子連番と総枚数と枚目を含む製品情報の印刷コードを読取るコードリーダと、前記コードリーダが読取った製品情報とそれに対応する前記製品情報記憶手段が記憶する製品情報とを比較して良（一致）であるか否（不一致）であるかを判定する良否判定手段と、前記良否判定手段により否と判定されたときには前記単位用紙とともにその判定が影響する範囲の単位用紙を否と判定する範囲判定手段と、前記良否判定手段により良と判定されたときには前記単位用紙とその判定とを関連付け、また前記良否判定手段により否と判定されたときには前記範囲判定手段により否と判定された単位用紙と前記判定とを関連付けた製本履歴を生成する製本履歴生成手段と、前記製本履歴生成手段が生成した前記製本履歴を記憶する製本履歴記憶手段とを具備するようにしたものである。
また本発明の請求項２に係る丁合検査システムは、請求項１に係る丁合検査システムにおいて、前記範囲判定手段は、前記否の判定が影響する範囲の単位用紙を、前記否と判定された単位用紙と同一冊子連番の単位用紙とするようにしたものである。
また本発明の請求項３に係る丁合検査システムは、請求項１または２に係る丁合検査システムにおいて、前記範囲判定手段は、前記否の判定が影響する範囲の単位用紙を、前記糊付けを行って所定時間以内に丁合されない単位用紙とするようにしたものである。
また本発明の請求項４に係る丁合検査システムは、請求項１〜３のいずれかに係る丁合検査システムにおいて、前記製本履歴生成手段が生成した前記製本履歴を表示する製本履歴表示手段と、前記製本履歴を印刷する製本履歴印刷手段とを具備するようにしたものである。
【発明の効果】
【０００６】
本発明の請求項１に係る丁合検査システムによれば、連続用紙をシートカットした単位用紙をシートカット順に搬送しながら糊付けを行い丁合する丁合機に適用する丁合検査システムにおいて、製品情報記憶手段によりすくなくとも冊子連番と総枚数と枚目を含む製品情報が記憶され、コードリーダにより丁合する単位用紙に印刷されたすくなくとも冊子連番と総枚数と枚目を含む製品情報の印刷コードが読取られ、良否判定手段によりコードリーダが読取った製品情報とそれに対応する製品情報記憶手段が記憶する製品情報とを比較して良（一致）であるか否（不一致）であるかが判定され、その良否判定手段が否と判定したときには範囲判定手段によりその単位用紙とともにその判定が影響する範囲の単位用紙が否と判定され、良否判定手段が良と判定したときには製本履歴生成手段により単位用紙とその判定とが関連付られ、また良否判定手段が否と判定したときには製本履歴生成手段により範囲判定手段が否と判定した単位用紙とその判定とを関連付けた製本履歴が生成され、製本履歴記憶手段により製本履歴生成手段が生成した製本履歴が記憶される。
すなわち、連続用紙をシートカットした単位用紙の丁合検査システムであるから、バリアブル丁合を実施するときにおいても設置スペースが小さく、設備費用が掛からない。また各単位用紙（各頁）について乱丁が検出されたときには製品情報に基づいてその影響範囲のすべての頁について良否判定が紐付けされ製本履歴として記憶される。したがって、冊子に丁合する各頁について乱丁を検査するだけでなく、その乱丁に関連する、積載部、丁合部、等の用紙が搬送される部位における不具合についても検出することができ、バリアブル丁合を実施するときにおいても設置スペースが小さく、設備費用が掛からない丁合検査システムが提供される。
また本発明の請求項２に係る丁合検査システムによれば、範囲判定手段により、否との判定が影響する範囲の単位用紙が、否と判定された単位用紙と同一冊子連番の単位用紙とされる。したがって、単位用紙だけの検査に止まらず冊子としての良否の検査を実質的に行うことができる。
また本発明の請求項３に係る丁合検査システムによれば、範囲判定手段により、否との判定が影響する範囲の単位用紙が、糊付けを行って所定時間以内に丁合されない単位用紙とされる。したがって、糊付け状態の良否の検査を実質的に行うことができる。
また本発明の請求項４に係る丁合検査システムによれば、製本履歴生成手段が生成した製本履歴を表示する製本履歴表示手段と、製本履歴を印刷する製本履歴印刷手段とを具備する。すなわち、製本履歴としての検査情報が表示と印刷物により得られる。したがって、不具合に対処するための必要十分な情報が提供される。
【発明を実施するための最良の形態】
【０００７】
次に、本発明の実施の形態について図を参照しながら説明する。本発明の丁合検査システムにおける構成の一例を図１に示す。図１において、１００は連続用紙、１０１ａ〜１０１ｈは単位用紙（カットされた用紙）、１０は丁合検査ＰＣ（parsonal compyuter system）、２０はバーコード読取部、３０は用紙供給部、４０は用紙搬送部、５０糊塗工部、６０は丁合部、７０はプレス部、８０はスタック部である。
【０００８】
まず丁合検査の対象である用紙の流れに沿って丁合機の部分について説明する。
連続用紙１００は丁合する単位用紙１０１ａ〜１０１ｈが切断（カット）される前の用紙である。図１に示す一例において連続用紙１００は横方向（走行方向に対して直角方向）に所定の間隔でミシン目加工が施されていて、その部位を折目として折畳まれ積重ねられた形態を有する。その形態の連続用紙１００は上部から引出されて用紙供給部３０に供給され、その用紙供給部３０において単位用紙１０１ａ〜１０１ｈに切断される。
【０００９】
単位用紙１０１ａ〜１０１ｈは連続用紙１００において丁合する順番に配列しており、用紙供給部３０における切断の後も用紙搬送部４０において丁合する順番に搬送される。単位用紙１０１ａ〜１０１ｈの各々には、各々によって異なる可変情報が印刷されている。その可変情報には、すくなくとも冊子連番と総枚数と枚目を含む製品情報が含まれてる。その製品情報は単位用紙１０１ａ〜１０１ｈの各々においてバーコードや２次元コードのような印刷コードとして印刷が行われている。その印刷コードは単位用紙１０１ａ〜１０１ｈの各々に共通する所定の同一場所に印刷が行われている。
【００１０】
単位用紙１０１ａ〜１０１ｈは用紙搬送部４０を走行して糊塗工部５０に達する（単位用紙１０１ｄ参照）。糊塗工部５０は単位用紙１０１ａ〜１０１ｈにおける所定の糊塗工部位に糊を塗工する。
【００１１】
さらに単位用紙１０１ａ〜１０１ｈは用紙搬送部４０を走行してバーコード読取部２０に達する（単位用紙１０１ｇ参照）。図１に示す一例においてバーコード読取部２０は丁合部６０の直前に設けられている。丁合部６０の直前にバーコード読取部２０を設けることにより、検査から丁合部６０までの工程を最短とすることができ、検査の信頼性を高めることができる。バーコード読取部２０は単位用紙１０１ａ〜１０１ｈに印刷されている印刷コードを読取る。その印刷コードはすくなくとも冊子連番と総枚数と枚目を含む製品情報の印刷コードである。
【００１２】
バーコード読取部２０はコードリーダの一例である。コードリーダはバーコードまたは２次元コードを読取る装置である。バーコードにはＪＡＮ／ＥＡＮ（ＩＳＯ／ＩＥＣ１５４２０）、ＣＯＤＥ３９（ＩＳＯ／ＩＥＣ１６３８８）、ＮＷ−７（ＩＳＯ／ＩＥＣ１６３９０）、ＩＴＦ（ＩＳＯ／ＩＥＣ１５３９０）、ＣＯＤＥ１２８（ＩＳＯ／ＩＥＣ１５４１７）、二次元コードにはＤａｔａ  Ｍａｔｒｉｘ（ＩＳＯ／ＩＥＣ１６０２２）、ＱＲ  Ｃｏｄｅ（ＩＳＯ／ＩＥＣ１８００４）、ＭＡＸＩコード（ＩＳＯ／ＩＥＣ１６０２３）、ＰＤＦ４１７（ＩＳＯ／ＩＥＣ１５４３８）、等の種類が存在するが、本発明はバーコードや２次元コードの種類によって限定されない。
【００１３】
単位用紙１０１ａ〜１０１ｈは印刷コードを読取られた直後に丁合部６０に供給される（単位用紙１０１ｈ参照）。丁合部６０は単位用紙１０１ａ〜１０１ｈの丁合を行う。このとき丁合は単位用紙１０１ａ〜１０１ｈの製品情報における冊子連番を単位として行われる。すなわち丁合により単位用紙１０１ａ〜１０１ｈは冊子にまとめられる。
【００１４】
丁合により得られた冊子はプレス部７０に供給される。プレス部７０は冊子を平行な平面で加圧（プレス）することにより、冊子における単位用紙１０１ａ〜１０１ｈの間の糊付けを確実なものとするとともに冊子の形状を平坦にする。
加圧により得られた冊子はスタック部８０に供給される。スタック部８０は冊子を積重ねて保持する。
【００１５】
以上、丁合機の部分について説明した。次に、本発明の丁合検査システムにおける構成部分について説明する。
丁合検査ＰＣ１０は主として本発明の丁合検査システムにおけるデータ処理を行う部分である。丁合検査ＰＣ１０はパーソナルコンピュータシステムであるが、他のデータ処理システム、たとえばプログラマブルシーケンスコントローラ等であってもよい。丁合検査ＰＣ１０はデータ処理システムのハードウェアとソフトウェアによって実現することができる。
【００１６】
丁合検査ＰＣ１０における構成の一例をブロック図として図２に示す。図２に示すように、丁合検査ＰＣ１０は、製品情報記憶手段１１、良否判定手段１２、範囲判定手段１３、製本履歴生成手段１４、製本履歴記憶手段１５、表示手段１６、印刷手段１７を有する。また、丁合検査ＰＣ１０は、前述した丁合機の部分であるバーコード読取部２０、用紙供給部３０、用紙搬送部４０、糊塗工部５０、丁合部６０、プレス部７０、スタック部８０、等と直接的または丁合機の制御部（図示せず）等を介して間接的に情報を相互に受渡しすることができる。この情報の相互の受渡しにより、丁合検査ＰＣ１０は丁合機の動作状態に適合する動作、たとえば丁合と検査における開始停止再開の連動、丁合と検査における同期、等を行う。また、丁合検査ＰＣ１０は丁合機に対して、検査結果に基づく所定の指令、たとえば運転停止等の指令を出力することができる。
【００１７】
製品情報記憶手段１１はすくなくとも冊子連番と総枚数と枚目を含む製品情報を記憶する。製品情報における冊子連番は冊子の１つ１つに連続番号として付される番号である。総枚数は冊子の１つ１つにおける単位用紙の総枚数である。枚目は冊子の１つ１つにおける単位用紙の１つ１つに連続番号として付される番号である。たとえば、冊子連番が１０１で総枚数が５枚の冊子であれば、その冊子には（枚目）／（総枚数）の表記において１／５，２／５，３／５，４／５，５／５の単位用紙が存在することになる。単位用紙の冊子連番、（枚目）／（総枚数）と丁合機における搬送位置との関係の一例を図３に示す。図３に示す一例においては、番号の小さい順番に丁合が行われる。
【００１８】
製品情報は冊子連番と総枚数と枚目に限定されない。得意先を識別するための得意先コード、品目を識別するための品目コード、品目が進行単位に分かれる区分を識別する進行単位区分コード、データを処理した日付を区分単位とするためのデータ処理日、等を製品情報に含めることができる。
丁合対象の製品情報は丁合が行われる前に、生産管理システム（図示せず）等から丁合検査ＰＣ１０に読込まれ製品情報記憶手段１１に記憶される。
【００１９】
良否判定手段１２はバーコードリーダ２０が単位用紙１０１ａ〜１０１ｈに印刷された印刷コードを読取って得た製品情報とそれに対応する製品情報記憶手段１１が記憶する製品情報とを比較して良（一致）であるか否（不一致）であるかを判定する。製品情報記憶手段１１が記憶する製品情報には連続用紙１００における単位用紙に印刷が行われた順番が含まれている。そして、その順番に基づいて２つの製品情報の間における対応付けが行われる。まず冊子連番を比較し、次に（枚目）／（総枚数）を比較する。不一致箇所が１箇所でもあれば、否（不一致）と判定する。
【００２０】
範囲判定手段１３は、良否判定手段１２により否と判定されたときには、単位用紙とともにその判定が影響する範囲の単位用紙を否と判定する。判定の影響する範囲とは、たとえば、１／５，２／５，３／５，４／５，５／５の単位用紙を丁合する総枚数が５枚の冊子において、単位用紙の１つでも不足（落丁）していれば、良否判定手段１２は否と判定する。そのとき範囲判定手段１３は、その冊子のすべての単位用紙、すなわち同一冊子連番のすべての単位用紙を否と判定する。
【００２１】
また判定の影響する範囲とは、たとえば、糊付けを行って所定時間以内に丁合されないすべての単位用紙を否と判定する。すなわち、良否判定手段１２が否と判定したときに丁合機の運転を停止するように設定がなされているものとする。そのとき、糊付けを済ませた単位用紙１０１ｄ〜１０１ｇ（図１参照）は適正な時間内に丁合することができないため、運転を再開したとしても糊が乾燥していて丁合不良品となる。したがって、良否判定手段１２が単位用紙１０１ｇを否と判定し、運転を停止して所定時間を経過したときには、範囲判定手段１３は単位用紙１０１ｄ〜１０１ｇのすべての単位用紙を否と判定する。
【００２２】
製本履歴生成手段１４は良否判定手段１２により良と判定されたときにはその単位用紙とその判定とを関連付けた製本履歴を生成する。また、良否判定手段１２により否と判定されたときには範囲判定手段１４により否と判定された単位用紙とその判定とを関連付けた製本履歴を生成する。製本履歴は、たとえば、属性値としてすくなくとも「冊子連番」、「（枚目）／（総枚数）」、「判定」の３つを有する表（リレーション）の形態のデータである。たとえば、（冊子連番，（枚目）／（総枚数），判定）について、・・・、（１００，８／８，良）、（１０１，１／５，否）、（１０１，２／５，否）、（１０１，３／５，否）、（１０１，４／５，否）、（１０１，５／５，否）、（１０２，１／７，良）、・・・、のような製本履歴を生成する。
【００２３】
製本履歴記憶手段１５は製本履歴生成手段１４によって生成された製本履歴を記憶する。記憶された製本履歴は、品質管理、生産管理のためのデータであり、正常に生産されなかった冊子を再生産するときの基礎データとなる。すなわち、製本履歴の判定が「否」の「冊子連番」の冊子を再生産する。
表示手段１６は製本履歴生成手段１４によって生成された製本履歴を表示する。丁合工程のオペレータは表示手段１６の表示画面によって丁合の状態を監視することができる。表示手段１６はオペレータが丁合検査ＰＣ１０を操作するときのＧＵＩ（graphical user interface）でもある。
印刷手段１７は製本履歴生成手段１４によって生成された製本履歴を印刷する。丁合工程のオペレータは印刷手段１７が出力した印刷物によって丁合の状態に応じた対処を正確に行うことができる。
【００２４】
以上、構成について説明した。次に、本発明の丁合検査システムにおける動作について図を参照して説明する。図４は丁合検査の過程を示すフロー図である。また、図５は丁合検査の過程のステップＳ７（データ処理）の部分の中身の過程を示すフロー図である。
まず図４のステップＳ１（製品情報読込）において、生産管理システム（図示せず）等からネットワーク等を介してこれから丁合する対象の製品情報を丁合検査ＰＣ１０に読込む。そして、丁合検査ＰＣ１０を丁合検査のモードとする。
次に、ステップＳ２（連続用紙供給）において、これから丁合する対象の連続用紙１００を用紙供給部３０にセットし、丁合機の運転を開始する。
【００２５】
次に、ステップＳ３（用紙カット）において、用紙供給部３０は、そこに備えられたカッターによって用紙を切断（カット）して連続用紙１００を単位用紙１０１ａ〜１０１ｈとし用紙搬送部４０に供給する。
次に、ステップＳ４（単位用紙搬送）において、用紙搬送部４０は単位用紙１０１ａ〜１０１ｈを１枚１枚が分離して配列した状態で搬送する。
次に、ステップＳ５（糊塗工）において、糊塗工部５０は、そこに搬送されて来た単位用紙１０１ａ〜１０１ｈに対して糊を塗工する。
【００２６】
次に、ステップＳ６（印刷コード読取）において、バーコード読取部２０は単位用紙１０１ａ〜１０１ｈに印刷されている印刷コードを読取る。
次に、ステップＳ７（データ処理）において、丁合検査ＰＣ１０はバーコード読取部２０が読取った印刷コードに含まれている製品情報に基づいてデータ処理を行う。その過程について図５を参照して説明する。
まず、図５のステップＳ１０１（良否判定）において、丁合検査ＰＣ１０の良否判定手段１２はバーコード読取部２０により読取った印刷コードにおけるすくなくとも冊子連番と総枚数と枚目を含む製品情報と、それに対応する製品情報記憶手段１１が記憶する製品情報とを比較して良（一致）であるか否（不一致）であるかを判定する。
【００２７】
次に、ステップＳ１０２（良？）において、良否判定手段１２の判定が「良」のときにはステップＳ１０４に進み、判定が「否」の時にはステップＳ１０３に進む。
次に、ステップＳ１０３（範囲判定）において、範囲判定手段１３はその単位用紙とともにその判定が影響する範囲の単位用紙が否と判定する。
次に、ステップＳ１０４（製本履歴生成）において、製本履歴生成手段１４は良否判定手段１２が良と判定したときにはバーコード読取部２０により読取った単位用紙とその判定とが関連付られ、また良否判定手段が否と判定したときには範囲判定手段１３が否と判定した単位用紙とその判定とを関連付けた製本履歴が生成される。
【００２８】
次に、ステップＳ１０５（製本履歴記憶）において、製本履歴記憶手段１５は製本履歴生成手段１４が生成した製本履歴を記憶する。
次に、ステップＳ１０６（製本履歴表示）において、表示手段１６は製本履歴生成手段１４が生成した製本履歴を表示する。
次に、ステップＳ１０７（製本履歴印刷）において、印刷手段１７は製本履歴生成手段１４が生成した製本履歴を印刷する。
【００２９】
次に、図４のステップＳ８（判定に基づく操作）において、判定に基づく何らかの処理が行われる。たとえば、「否」の判定があったときには、丁合検査ＰＣ１０は警報を鳴らす、運転を停止する、等の指令を丁合機に出力する。また、その判定に基づいてオペレータは不具合による被害が最小限度となるように対処を行う。そして、必要ならば、前述したステップのいずれかに戻ってから、そのステップ以降を再開する。なお当然であるが、「良」の判定があったときにはこのステップＳ８においては何も行わず次のステップに進むことができる。
【００３０】
次に、ステップＳ９（丁合）において、丁合部６０は単位用紙を丁合して冊子を得る。丁合部６０は同一の冊子連番を有する単位用紙のすべてを丁合すると、その冊子をプレス部７０に供給する。
次に、ステップＳ１０（プレス）において、プレス部７０は冊子をプレス面において加圧し丁合された冊子の糊付けを確実なものとする。また冊子の平面性を向上させる。
次に、ステップＳ１１（スタック）において、スタック部７０はプレス部７０から送られてくる冊子を積重ねて置いておく。
【００３１】
以上の丁合検査における一連の過程は、単位用紙の一枚一枚、およびそれを丁合した冊子について行われる過程である。図１に示すように、丁合機における各部は独立し並行動作する。したがって、単位用紙のあるものは糊塗工され、単位用紙のあるものは印刷コードが読取られ、単位用紙のあるものは丁合検査のデータ処理が行われ、単位用紙のあるものは丁合され、冊子のあるものはプレスされ、冊子のあるものはスタックされ、ということが同時進行する。
【図面の簡単な説明】
【００３２】
【図１】本発明の丁合検査システムにおける構成の一例を示す図である。
【図２】丁合検査ＰＣにおける構成の一例を示す図である。
【図３】単位用紙の冊子連番、（枚目）／（総枚数）と丁合機における搬送位置との関係の一例を示す図である。
【図４】本発明の丁合検査システムにおける丁合検査の過程を示すフロー図である。
【図５】丁合検査の過程におけるステップＳ７（データ処理）の部分の中身過程を示すフロー図である。
【符号の説明】
【００３３】
１０  丁合検査ＰＣ（parsonal compyuter system）
１１  製品情報記憶手段
１２  良否判定手段
１３  範囲判定手段
１４  製本履歴生成手段
１５  製本履歴記憶手段
１６  表示手段
１７  印刷手段
２０  バーコード読取部
３０  用紙供給部
４０  用紙搬送部
５０  糊塗工部
６０  丁合部
７０  プレス部
８０  スタック部
１００  連続用紙
１０１ａ〜１０１ｈ  単位用紙（カットされた用紙）
【図１】
2006130798.tif 000003
【図２】
2006130798.tif 000004
【図３】
2006130798.tif 000005
【図４】
2006130798.tif 000006
【図５】
2006130798.tif 000007